(57)【要約】      （修正有）【課題】壁面、コーナー両方にスペース無駄なく簡単に設置場所変更が可能なテレビ載置装置を提供する。【解決手段】テレビ載置部水平板４、又はテレビ本体下部水平板７の下左右に複数の垂直棒３を取り付け、それを垂直棒連結水平板５にて連結固定し、その下に上面に垂直棒３とは異径のパイプ、又はバーを設けた前後転倒防止水平脚１を垂直棒３の下方向より挿入する、又は前後転倒水平防止脚１を回転軸８、金具等により垂直棒３の下方向より直接取り付けて回転運動を可能とする。或いは最下部水平板に１〜複数の孔、レール、溝等を設け、その下に回転軸、金具等により前後転倒防止脚を取り付け、回転、移動、又は移動と回転を可能とする。【選択図】図１
0003193240.tif 000002
【実用新案登録請求の範囲】
【請求項１】
テレビを載置する装置であって、その形態は（１）テレビ載置部である水平板、又はテレビ本体の下部水平板の下左右両側に垂直棒を固定し、（２）垂直棒を水平連結板により連結しフレームとしたもの、及び（３）前後転倒防止水平脚により構成されたものであって、（４）前後転倒防止水平脚は上面に垂直棒の径とは異径のパイプ、又はバーを設け、（５）異径パイプ、又はバーの部分を垂直棒に下部より挿入し水平方向への回転運動可能とした、或いは（６）垂直棒下部に直接前後転倒防止水平脚を回転軸、金具等により取り付け、（７）前後転倒防止水平脚を水平方向への回転運動を可能とした、（８）転倒防止脚垂直棒付属式テレビ載置装置。
【請求項２】
テレビを載置する装置であって、その形態は（１）テレビ載置部である水平板、又はテレビ本体下部水平板の下の左右両側に垂直棒、或いは垂直側板を固定し、（２）垂直棒、或いは垂直側板を水平連結板により連結しフレームとしたもの、及び（３）前後転倒防止水平脚によって構成されたものであって、（４）最下部水平連結板に複数の孔、レール、又は溝等を設け、（５）最下部水平連結板の下に前後転倒防止水平脚を回転軸、又は金具等により取り付け、（６）前後転倒防止水平脚を水平方向への移動、回転、又は移動回転を可能とした、（７）転倒防止脚水平連結板付属式テレビ載置装置。
【請求項３】
テレビを載置する装置であって、その形態は（１）テレビ載置部である水平板、又はテレビ本体の下部水平板の下に１〜複数の垂直棒を固定し、（２）垂直棒の最下部に前後転倒防止回転脚取り付け用水平板を取り付けフレームとしたもの、及び（３）前後転倒防止水平脚により構成されたものであって、（４）前後転倒防止水平脚を前後転倒防止回転脚取り付け用水平板の両端の下に回転軸、又は金具等により取り付け、（５）前後転倒防止水平脚を水平方向への回転運動を可能とした、（６）転倒防止脚水平板両端付属式テレビ載置装置。
【考案の詳細な説明】
【技術分野】
【０００１】  本考案は前後転倒防止可動脚を備えたテレビ載置装置に関するものである。
【背景技術】
【０００２】  従来の多くのテレビ載置装置は箱型であり、コーナー、壁面設置変更の場合はそれぞれ専用の載置装置を必要とする。
【先行技術文献】
【非特許文献】
【０００３】
【非特許文献１】  デイノスリビング２０１３  １３０号  ｐ２４８〜２５８
【考案の開示】
【考案が解決しようとする課題】
【０００４】  本考案は従来型コーナー専用のテレビ載置装置をコーナーから壁面沿いに設置変更した場合、不自然な空間ができ、又従来型の壁面用テレビ載置装置をコーナーに設置変更した場合コーナーにピッタリ設置できず、出っ張り、スペースの無駄ができるため、壁面、コーナー両方にスペース無駄なく簡単に設置場所変更が可能なテレビ載置装置を解決課題とする。
【課題を解決するための形態】
【０００５】  本考案は問題点解決のため、テレビ載置水平板、又はテレビ本体下部水平板の下左右に複数の垂直棒を取り付け、それを水平連結板にて連結固定し、その下に上面に垂直棒とは異径の転倒防止水平脚取り付け棒を設けた前後転倒防止脚の転倒防止水平脚取り付け棒の部分を垂直棒の下方向より挿入し、回転運動可能とする、又は前後転倒防止水平脚を回転軸、金具等により垂直棒の下より取り付ける、或いは最下部水平板に回転軸、レール、移動用孔、溝等を設け前後転倒防止脚を取り付け、回転、移動、又は移動と回転を可能とする、或いはテレビを載置水平板、又はテレビ本体下部水平板に、１〜複数の垂直棒を取り付け、その下に最下部水平板を固定し、最下部水平板の両端の下に転倒防止脚を回転軸、金具等により取り付け回転運動可能とする方式の転倒防止水平脚可動式テレビ載置装置により壁面、コーナー、いずれにもスペースの無駄なく簡単に設置可能なテレビ載置台を解決手段とするものである。
【考案の効果】
【０００６】  上記考案のテレビ載置部水平板、又はテレビ本体下部水平板の下左右に複数の垂直棒を取り付けフレームとし、その下に前後転倒防止脚の上面に垂直棒とは異径の転倒防止水平脚取り付け棒を設けた転倒防止水平脚取り付け棒の部分を垂直棒の下方向より挿入固定する、又は垂直棒の下部に回転軸、金具等により前後転倒防止用水平脚を取り付け回転運動を可能とする、或いはテレビ載置部水平板、又はテレビ本体下部水平板の下に取り付けた垂直棒の下に設けた最下部水平板の両端の下に前後転倒防止脚を回転軸、金具等により取り付け、回転運動可能とし、脚の角度変更を可能とする、或いは最下部水平板に前後転倒防止用水平脚を回転軸、金具等により取り付ける、又は取り付け孔、レール、溝を設け、移動させ希望位置でボルト等により水平脚を固定し、脚の角度、取り付け位置、或いは角度と取り付け位置両方の変更を可能としたテレビ載置装置により、簡単に安定的に設置場所の変更ができ、現在主流である薄型テレビに対応した奥行きが浅く、しかも無駄な場所の占拠が少なく、壁面、コーナー等、色々な場所でのテレビの設置が可能となる効果がある。
【図面の簡単な説明】
【０００７】
【図１】  回転脚付きテレビ載置装置構成図
【図２】  回転脚、或いは移動脚付きテレビ一体式載置装置斜視図
【図３】  回転脚、或いは移動脚付きボックス型テレビ載置装置斜視図
【図４】  回転脚、或いは移動脚付きテレビ一体式載置装置例斜視図
【図５】  回転脚水平バー両端取り付け式テレビ載置装置斜視図
【図６】  回転脚水平バー両端取り付け式テレビ一体型斜視図
【図７】  回転脚、或いは移動脚付きテレビ吊り下げ式載置装置斜視図
【図８】  回転脚付きテレビ吊り下げ式載置装置例斜視図
【図９】  回転脚付きテレビ載置装置参考例図
【考案を実施するための形態】
【０００８】  上記考案を実施するためテレビを載置板、又はテレビ本体下部水平板の下左右両側に垂直棒を取り付け、垂直棒を水平連結板により連結固定し、上面に垂直パイプ径とは異径の転倒防止水平脚取り付け棒を取り付けた前後転倒防止水平脚を下部より垂直棒に挿入した、又は垂直棒の下部に回転軸、金具等により前後転倒防止脚を取り付けた形態、或いはテレビ載置水平板、又はテレビ本体下部水平板の下に１〜複数の垂直棒を取り付け、最下部を水平板により固定し、前後への転倒を防止する前後転倒防止脚を回転軸、又は金具等により取り付ける、又は最下部水平板に設けた複数の取り付け孔、レール、又は溝等により前後転倒防止水平脚を移動、回転運動可能とした、又はボックス形状、又はテレビ本体がボックス一体型形状の最下部水平板の底部に前後転倒防止水平脚を回転軸、又は金具等によりに取り付け回転運動可能とする、又は最下部水平板に設けた複数の取り付け孔、レール、又は溝等により前後転倒防止水平脚を移動、回転運動可能なテレビ載置装置の最良の形態を以下、図１〜図９を参照して説明する。
【実施例】
【０００９】  以下、添付図に従って実施例を説明する。図１は請求項１に該当する転倒防止脚垂直棒付属式テレビ載置説明図である。複数の垂直棒３をテレビ載置水平板４の下、或いはテレビ本体下部水平板７の左右に取り付け、１〜複数の垂直棒連結水平板５により垂直棒３を連結したフレーム、及び前後転倒防止水平脚１により構成し、前後転倒防止水平脚１の上部に垂直棒３と異径の転倒防止水平脚取り付け棒２を設け、転倒防止水平脚取り付け棒２を垂直棒３の下部より挿入することにより、水平方向への回転運動が可能となり、テレビ載置装置をコーナーへの設置、或いは壁面へ設置をするため角度、高さ、或いは角度変更を可能とした形態を説明するテレビ載置装置の構成を説明する斜視図である。尚、請求項１〜３の垂直棒とは棒に限定せずパイプ等の棒形状のもの全てを含むものであり、形状は真円に限定せず、異型円形、角形状、又はパイプではないバー形状の場合も含まれる。図の左側の転倒防止水平脚取り付け棒２に上下可機能をもたせテレビ載置装置の高さ変更も可能となる場合も請求項に含まれる。図右側の前後転倒防止水平脚１は垂直棒３の下部から回転軸８により保持され回転運動可能としたものである。尚、垂直棒３、水平連結板５の数、形状、及び脚転倒防止水平脚取り付け棒２と垂直棒３との固定方法は多様であり限定するものではない。【００１０】  図２は請求項２に該当する転倒防止脚水平連結板付属式テレビ載置装置を説明する図である。複数の垂直棒３をテレビ載置水平板４の下、或いはテレビ本体下部水平板７に取り付け、さらに垂直棒３を連結水平板５により連結し、フレームを形成し、最下部水平連結板５に複数の取り付け孔１０、レール、又は溝等を設け、前後転倒防止脚１を金具等により取り付けることにより前後倒防止脚１を図の矢印方向９のように回転、移動、或いは回転移動両方が可能となり、希望角度、位置に設定、固定し、コーナー、壁面沿いに簡単に設置可能とした形態を説明する参考図である。連結水平板５は図示のごとく棚板とすることもありサイズ、形状は図示に限定するものではない。【００１１】  図３は同じく請求項２に該当する転倒防止脚水平連結板付属式テレビ載置装置のボックス形状での形態を示す図である。テレビ載置水平板４、左右の垂直側板１２、及び最下部水平板１１によりボックスを構成し、最下部水平板１１に複数の取り付け孔１０、レール、又は溝を設け、前後転倒防止脚１を最下部水平板１１の下に取り付け、回転、移動を可能とし、希望角度、位置に固定することにより、壁面沿い、コーナーに設置可能となる形態の説明図である。尚、前後転倒防止脚１の取り付け方法は取り付け孔、レール、溝方式等、多種多用であり限定するものではなく、垂直側板１２の材質、及び形状は板状、棒状、半丸棒等多種多様であり限定するものではなく、ボックスのサイズ、形状、棚板枚数、及びバックパネルの有無、収納部１６内部の棚板の有無等は図示に限定するものではない。【００１２】  図４は同じく請求項２に該当する転倒防止脚水平連結板付属式テレビ載置装置のテレビ一体型ボックス形状の形態を示す図である。図示の如くテレビ本体の垂直側板１２を延長しテレビ本体６とフレームを一体とし、前後転倒防止脚１���垂直側板１２の下部に取り付ける、又は最下部水平板１１に複数の取り付け孔１０、レール、又は溝を設け、前後転倒防止脚１を希望角度、希望位置にボルト等により固定する形態の説明参考図である。このテレビ載置装置により敷居等の障害物を避けた位置に前後転倒防止脚１を移動させ固定させることが可能となり、希望位置にテレビを設置することが可能となる。フレーム内に収納スペース１６を設ける場合もある。コーナーに設置時には図示のごとく安定設置が可能となり、壁面に沿う設置の場合も簡単に前後転倒防止水平脚１の角度を変更して安定設置が可能となる。図左側の延長された垂直側板１２の最下部に前後転倒防止脚１を回転軸、金具等により取り付け、回転運動可能とした場合も本請求項に含まれる。【００１３】  図５は請求項３に該当する転倒防止脚水平板両端付属式テレビ載置装置の形態を示す図である。その形状はテレビを載置する部分である水平板４の下に１〜複数の垂直棒３を取り付け、垂直棒３の下部には回転軸取り付け用水平板１４を取り付けフレームとしたもの、及び前後転倒防止水平脚１により構成し、下部水平板１４の両端の下に前後転倒防止水平脚１を回転軸、金具等８により取り付け回転運動９可能とした形態のテレビ載置装置の説明参考例図である。尚、垂直棒３を異径のパイプ、棒を組み合わせ、上下高さ変更９可能とした場合、及び回転軸、金具等により取り付け水平方向への回転運動９を可能とした場合にテレビ載置をより安定させ、設置場所の障害物を避けるために、収縮可能とした延長可能前後転倒防止脚１５を使用する場合も請求項１〜３に含まれる。下部水平板１４の幅寸法はテレビ載置パネル４、又はテレビ本体下部パネル７より狭いものである。【００１４】  図６は同じく請求項３に該当する前後転倒防止水平脚水平板式テレビ載置装置の別形態を示す参考例図である。テレビを載置するテレビ載置水平板４なしで、テレビ本体下部水平板７の下に直接１〜複数の垂直棒３を取り付け、その下に回転軸取り付け用水平板１４を固定し、さらに回転軸取り付け用水平板１４の両端の下から前後転倒防止水平脚１を回転軸８、金具等により取り付けることにより回転運動９が可能となりコーナー、或いは壁面に沿う安定設置が可能となるシンプルな形態となることを説明する図である。【００１５】  図７は請求項１〜２に該当する希望角度、或いは位置に設定可能なる回転脚を垂直棒の下部に備えたテレビ吊り下げ式載置装置を説明する図である。垂直棒３を複数の垂直棒連結水平板５により連結しフレームを形成し、最下部に上部には垂直棒３と異径のパイプ２、或いはバーを設け、パイプ部分２を備えた前後転倒防止水平脚１のパイプ部分２を垂直棒３の下部より挿入することにより前後転倒防止水平脚１を回転運動９を可能とした、或いは図右側の前後転倒防止水平脚１は垂直棒３の下部から回転軸、金具等８により保持され回転運動可能としたテレビ吊り下げ式載置装置の構成図である。図示の如くテレビを吊り下げ載置する、テレビ載置板４と垂直棒連結水平板５が同一である場合もある。【００１６】  図８は請求項１に該当する転倒防止脚垂直棒付属式テレビ載置装置の希望角度に設定可能なる回転脚を垂直棒下部に備えた前後転倒防止水平脚��直棒式テレビ載置装置にテレビを吊り下げ載置した状態を説明する参考例図である。図示の如く垂直棒連結水平板５を異径パイプと組み合わせることにより伸縮可能９な構造となり、全体の幅寸法を変更可能とする場合も本請求項に含まれることを説明する図である。テレビ６の吊り下げ載置方法１７は多種多様であり図示に限定するものではない。【００１７】  図９は請求項１に該当する転倒防止脚垂直棒付属式テレビ載置装置の応用例図である。パイプ形状の垂直棒３をテレビ本体６に内蔵し、前後転倒防止水平脚１に取り付けた長さのある転倒防止水平脚取り付け棒２を取り付け回転運動可能とした図である。図示のごとく前後転倒防止水平脚が回転運動可能となりコーナー、壁面沿いのテレビ載置装置の設置が可能となり、上下可動９、固定機能１８を備えることにより、高さ変更も可能となる例の参考図である。前後転倒防止水平脚１の拡がり防止安定設置のために広がり防止棒１９が付属する場合もある。
【符号の説明】
【００１８】  １  前後転倒防止水平脚
２  転倒防止水平脚取り付け棒
３  垂直棒
４  テレビ載置水平板
５  垂直棒連結水平板
６  テレビ本体
７  テレビ本体下部水平板
８  前後転倒防止脚取り付け回転軸、金具
９  脚回転、或いは移動方向矢印
１０  前後転倒防止脚取り付け孔
１１  最下部水平板
１２  垂直側板
１３  収納部
１４  回転脚取り付け用水平板
１５  延長可能転倒防止水平脚
１６  テレビ付属脚
１７  ＴＶ固定、或いは吊り下げ用金具
１８  固定機能
１９  拡がり防止棒
【図１】
0003193240.tif 000003
【図２】
0003193240.tif 000004
【図３】
0003193240.tif 000005
【図４】
0003193240.tif 000006
【図５】
0003193240.tif 000007
【図６】
0003193240.tif 000008
【図７】
0003193240.tif 000009
【図８】
0003193240.tif 000010
【図９】
0003193240.tif 000011